(57)【要約】透析装置（１）は、患者に実行される透析治療のパラメータを格納するメモリ（２４）を備えた主制御手段（１０）、前記主制御手段（１０）と対話して、患者に実行されている透析治療の制御を行う複数のスレーブ制御手段（１２）および透析治療のパラメータを格納するメモリ（３４）を備え、前記主制御手段（１０）と対話して、前記透析装置（１）の機能のチェックを実行する機能チェック・ユニット（３０）を含む。特に、機能チェック・ユニット（３０）は、自己のメモリ（３４）に格納された透析治療パラメータを前記主制御ユニット（１０）に所定の時間間隔で送り、前記主制御手段（１０）は、自己のメモリ（２４）に格納されている透析治療パラメータと、機能チェック・ユニット（３０）から送られた透析治療パラメータを比較して、前述の透析治療パラメータが相互に一致しない場合はアラーム信号を発生する。
2004509706.tif 000002
【特許請求の範囲】
【請求項１】
透析装置を用いて患者に実行される透析治療のパラメータを格納するメモリ手段（２４）を備えた前記主制御手段（１０）と、前記主制御手段（１０）と対話し、前記患者に実行されている前記透析治療の制御を行うスレーブ制御手段（１２）と、透析治療のパラメータを格納するメモリ手段を備えるとともに、前記主制御手段と対話して前記透析装置の機能のチェックを実行する、機能をチェックする手段（３０）とを含み、前記機能をチェックする手段（３０）は、所定の条件が検出されると、機能をチェックする手段（３０）のメモリ手段（３４）に格納された透析治療パラメータを前記主制御手段（１０）に送る送信手段（１００）を含み、前記主制御手段は、前記機能をチェックする手段のメモリ手段に格納され透析治療パラメータと、前記主制御手段のメモリ手段に格納されている透析治療パラメータを相互に比較する比較手段（１２０）と、前記透析治療パラメータが相互に一致しない場合はアラーム信号を発生する信号発生器手段（１３０）とを含む透析装置（１）。
【請求項２】
−　前記透析装置（１）を用いて患者に実行される前記透析治療のパラメータを格納するメモリ手段（２４）を備えた主制御手段（１０）と、
−　主制御手段（１０）と対話して患者に実行される透析治療を制御するスレーブ制御手段（１２）と、
−　前記透析治療パラメータのコピーを格納するメモリ手段（３４）を備え、前記主制御手段と対話して、前記透析装置（１）の機能のチェックを実行する、機能をチェックする手段であって、機能をチェックする手段（３０）のメモリ手段（３４）に格納された前記透析治療パラメータとを前記主制御手段（１０）に送ることができる前記機能をチェックする手段（３０）と、
−　前記機能をチェックする手段（３０）の前記メモリ手段（３４）に格納された透析治療パラメータと、前記主制御手段（１０）の前記メモリ手段（２４）に格納されている前記透析治療パラメータを周期的に相互に比較するとともに、前記機能をチェックする手段（３０）の前記メモリ手段（３４）に格納された前記透析治療パラメータと、前記主制御手段（１０）の前記メモリ手段（２４）に格納されている前記透析治療パラメータが異なる場合は、アラーム信号を発生させることができる前記主制御手段（１０）と、
を含む透析装置（１）。
【請求項３】
請求項１に記載の透析装置であって、前記送信手段（１００）は、前記機能チェック手段（３０）の前記メモリ手段（３４）に格納された透析治療パラメータを前記主制御手段（１０）に所定の時間間隔で送ることを特徴とする前記透析装置。
【請求項４】
請求項１または２のいずれか１項に記載の透析装置であって、前記主制御手段（１０）に接続され、前記アラーム信号を受信すると、前記透析装置（１）の故障を示すメッセージを表示する表示手段（１６）をさらに含むことを特徴とする前記透析装置。
【請求項５】
請求項１または請求項２に記載の透析装置であって、前記主制御手段（１０）は、少なくとも主制御マイクロプロセッサ（２２）を含み、前記メモリ手段は、前記主マイクロプロセッサ（２２）に接続された複数のメモリ（２４）を含むことを特徴とする前記透析装置。
【請求項６】
請求項５に記載の透析装置であって、前記複数のメモリ（２４）は、実質的にかつ物理的に分離され、動作的に相互に独立であることを特徴とする前記透析装置。
【請求項７】
請求項６に記載の透析装置であって、前記主制御マイクロプロセッサ（２２）は、前記大部分の透析治療パラメータを少なくとも二重化し、前記透析治療パラメータの各コピーは他のコピーとは別になっていて、実質的または物理的に分離されたメモリ手段（２４）の対応する部分に格納されることを特徴とする前記透析装置。
【請求項８】
請求項１または請求項２に記載の透析装置であって、前記スレーブ制御手段は、複数のスレーブ制御ユニット（１２）を含むことを特徴とする前記透析装置。
【請求項９】
請求項８に記載の透析装置であって、前記各スレーブ制御ユニット（１２）は、スレーブ制御マイクロプロセッサ（２６）と、前記スレーブ制御マイクロプロセッサ（２６）に接続されたメモリ（２８）を含むことを特徴とする前記透析装置。
【請求項１０】
請求項９に記載の透析装置であって、前記透析回路（２）の各種場所に配置され前記透析治療に関する量を測定するセンサ（４）を含み、前記スレーブ制御マイクロプロセッサ（２６）は、前記主制御マイクロプロセッサ（２２）に双方向で接続され、前記透析治療の各パラメータのコピー、または前記スレーブ制御マイクロプロセッサ（２６）が制御する前記透析回路の各種部分の動作に関するパラメータのコピーを前記メモリ（２８）に格納し、前記センサ（４）で発生した前記測定値信号を自己の入力で受信して、前記透析回路（２）の対応する部分の制御、または透析治療に関連して専用化された対応する処理の制御を行うことを特徴とする前記透析装置。
【請求項１１】
請求項９に記載の透析装置であって、前記メモリ（２８）は、前記透析治療の各パラメータのコピー、または前記対応するスレーブ制御マイクロプロセッサ（２６）が制御する前記透析回路の各種部分の動作に関するパラメータのコピーを格納することを特徴とする前記透析装置。
【請求項１２】
請求項１または請求項２に記載の透析装置であって、機能をチェックする手段（３０）は、区別可能でかつ前記主制御手段（１０）から物理的に分離され、後者と対話する機能チェック・ユニットを含むことを特徴とする前記透析装置。
【請求項１３】
請求項１２に記載の透析装置であって、前記機能チェック・ユニット（３０）は、機能チェック用マイクロプロセッサ（３２）と、前記機能チェック用マイクロプロセッサ（３２）に接続され、前記主制御マイクロプロセッサによって受信された前記透析治療のパラメータのコピーを格納するメモリ（３４）とを含むことを特徴とする前記透析装置。
【請求項１４】
請求項１３に記載の透析装置であって、前記透析回路（２）の各種の場所に配置され前記透析治療に関する量を測定するセンサ（４）を含み、前記機能チェック用マイクロプロセッサ（３２）は、前記主制御マイクロプロセッサ（２２）に双方向で接続され、前記メモリ手段（２４）に格納されたパラメータのコピーと、前記センサ（４）で発生した前記測定値信号のコピーの双方をその入力で受信し、前記スレーブ・マイクロプロセッサ（２６）の動作の正しいことを絶えずチェックするために、これらのコピーを比較することができることを特徴とする前記透析装置。
【請求項１５】
請求項１０および１４に記載の透析装置であって、少なくとも所定の数のパラメータに対して、前記対応するセンサは二重化されているので、当該各パラメータの第１のセンサは、その入力を前記スレーブ制御マイクロプロセッサ（２６）に送り、同じパラメータを検出する第２のセンサは、その入力を前記機能チェック用マイクロプロセッサ（３２）に送ることを特徴とする前記透析装置。
【請求項１６】
請求項１４に記載の透析装置であって、前記機能チェック用マイクロプロセッサ（３２）は、時間の所定の瞬間に自己のメモリ（３４）に格納された前記透析治療パラメータのコピーを前記主制御マイクロプロセッサ（２２）に送ることができ、前記主制御マイクロプロセッサ（２２）は、これらのパラメータを取得すると、前記機能チェック用マイクロプロセッサ（３２）からの前記透析治療パラメータの前記コピーと、そのメモリ（２４）に格納されているオリジナルの透析治療パラメータを比較して、前記機能チェック用マイクロプロセッサ（３２）から送られた前記透析治療パラメータと、前記主制御マイクロプロセッサ（２２）の前記メモリ（２４）のそれぞれに格納された前記透析治療パラメータが一致しない場合は、アラーム信号を発生することを特徴とする前記透析装置。
【請求項１７】
請求項１５に記載の透析装置であって、前記機能チェック・ユニットは、
−　前記メモリ（２４）に存在する前記透析治療パラメータのコピーと、
−　自己のセンサまたは感知源で検出された前記測定値と、
−　前記主制御ユニット（１０）を介して、各スレーブ制御ユニット（１２）に付随するセンサまたは感知源で取得された前記測定値信号のコピーと、
をその入力で受信して、そのメモリに格納することを特徴とする前記透析装置。
【請求項１８】
透析装置（１）の機能をチェックする方法であって、
−　前記透析装置（１）を用いて患者に実行される透析治療の前記パラメータを格納するメモリ手段（２４）を備えた主制御手段（１０）と、
−　前記主制御手段（１０）と対話して前記患者に実行される前記透析治療を制御するスレーブ制御手段（１２）と、
−　メモリ手段（３４）を備えた、機能をチェックする手段（３０）と、
を含む透析装置（１）において、
−　前記機能をチェックする手段（３０）の前記メモリ手段（３４）に前記透析治療パラメータを格納するステップと、
−　所定の条件が検出されると、前記機能をチェックする手段（３０）の前記メモリ手段（３４）に格納された前記透析治療パラメータと、前記主制御手段（１０）の前記メモリ手段（２４）に格納された前記透析治療パラメータを比較するステップと、
−　前記パラメータが相互に一致しない場合は、アラーム信号を発生するステップと、
を含む前記チェックする方法。
【請求項１９】
請求項１８に記載のチェックする方法であって、前記比較するステップは、前記所定の条件が検出されると、前記機能をチェックする手段（３０）の前記メモリ手段（３４）に格納された前記透析治療パラメータを、前記主制御手段（１０）に送る前記ステップを含むことを特徴とする前記チェックする方法。
【請求項２０】
請求項１８または１９に記載のチェックする方法であって、前記比較するステップは、所定の時間間隔で実行されることを特徴とする前記チェックする方法。
【請求項２１】
請求項１８から２０のいずれか１項に記載のチェックする方法であって、
−　前記アラーム信号が検出されると、前記透析装置（１）の表示手段（１６）に前記透析装置（１）の故障を示すメッセージを表示するステップ、
をさらに含むことを特徴とする前記チェックする方法。
【請求項２２】
透析装置（１）の機能をチェックする方法であって、
−　透析回路（２）と、
−　前記透析回路（２）の各種場所に配置され、前記透析治療に関する量を測定する複数のセンサ（４）と、
−　前記透析装置（１）を用いて患者に実行される前記透析治療のパラメータを格納するメモリ手段（２４）を備えた主制御手段（１０）と、
−　前記主制御手段（１０）と対話して、前記患者に実行される前記透析治療を制御するスレーブ制御手段（１２）と、
−　メモリ手段（３４）を備えた、機能をチェックする手段（３０）と、
を含む透析装置（１）において、
−　前記機能をチェックする手段（３０）の前記メモリ手段（３４）に格納された前記透析治療パラメータのコピーを格納するステップと、
−　所定の時間間隔で、前記機能をチェックする手段（３０）の前記メモリ手段（３４）に格納された前記透析治療パラメータと、前記主制御手段（１０）の前記メモリ手段（２４）に格納された前記透析治療パラメータを比較するステップと、
−　前記パラメータが相互に一致しない場合は、アラーム信号を発生するステップと、
を含むことを特徴とする前記機能をチェックする方法。
【請求項２３】
請求項２２に記載の機能をチェックする方法であって、
−　前記透析治療の各パラメータのコピー、または前記対応するスレーブ制御マイクロプロセッサ（２６）が制御する前記透析回路の各種部分の動作に関する前記パラメータのコピーを、前記メモリ（２８）に格納するステップを含む前記機能をチェックする方法において、
前記スレーブ制御マイクロプロセッサ（２６）は、前記センサ（４）で発生した測定値信号をその入力で受信し、前記透析回路（２）の対応する部分、または前記専用化された透析治療に関連した対応する処理の制御を行うことを特徴とする前記機能をチェックする方法。
【請求項２４】
請求項２２に記載の機能をチェックする方法であって、
−　前記センサ（４）で発生した前記測定値信号と、前記スレーブ・マイクロプロセッサ（２６）の動作の正しいことを絶えずチェックするために、前記機能をチェックする手段（３０）の前記メモリ手段（３４）の中の前記透析治療パラメータを比較するステップ、
を含むことを特徴とする前記機能をチェックする方法。
【発明の詳細な説明】
【０００１】
（説明）
本発明は、透析装置と透析装置の機能をチェックする方法に関する。
【０００２】
公知のように、腎機能が不十分な場合、患者の血液には低分子量の粒子が含まれており、透析装置を用いて実行される透析治療によりこれらの粒子を除去しなければならない。
【０００３】
特に血液は、半透膜（ｓｅｍｉ−ｐｅｒｍｅａｂｌｅ　ｍｅｍｂｒａｎｅ）によって隔離された血液室（ｂｌｏｏｄ　ｃｈａｍｂｅｒ）と透析室とから構成される透析フィルタを用いて治療される。治療の間、治療される血液と透析溶液は半透膜を通して通過する。すなわち、透析治療の間、血液内の不要な粒子は、拡散と対流の双方により半透膜を介して血液室から透析室へ移動する。
【０００４】
現在市場で入手可能な透析装置はいずれも精巧な制御装置を備えており、その目的は透析装置の動作を調整することである。特に最も精巧な制御装置は、一方では意図した安全な手順を実行するように設計され、他方では透析治療パラメータに変化があっても透析治療を受けている患者に対して適切であるとともに、透析装置の現在の状態と両立できることをチェックし、さらには透析治療を受けている患者の健康に悪影響を及ぼすおそれのある透析治療パラメータの不正な変更を防止するように設計されている。
【０００５】
しかし、透析治療を受けている患者の健康に悪影響を及ぼすことがある透析装置の他の様々な動作状態や動作条件が存在する。
【０００６】
本発明の目的は、上記問題点を克服する透析装置と、透析装置の機能をチェックする方法を提供することである。
【０００７】
本発明によれば、前記透析装置を用いて患者に実行される透析治療のパラメータを格納するメモリ手段を備えた主制御手段と、前記主制御手段と対話し、患者に実行されている透析治療の制御を行うスレーブ制御手段と、透析治療のパラメータを格納するメモリ手段を備えるとともに、前記主制御手段と対話して前記透析装置の機能のチェックを実行する、機能をチェックする手段とを含み、前記機能をチェックする手段は、所定の条件が検出されると、機能をチェックする手段のメモリ手段に格納された透析治療パラメータを前記主制御手段に送る送信手段を含み、前記主制御手段は、前記機能をチェックする手段のメモリ手段に格納された透析治療パラメータと、前記主制御手段のメモリ手段に格納されている透析治療パラメータを相互に比較する比較手段と、前記透析治療パラメータが相互に一致しない場合はアラーム信号を発生する信号発生器手段とを含む透析装置が提供される。
【０００８】
本発明は、前記透析装置を用いて患者に実行される透析治療のパラメータを格納するメモリ手段を備えた主制御手段と、前記主制御手段と対話して患者に実行される透析治療を制御するスレーブ制御手段とを含む透析装置の機能をチェックする方法を提供しており、この方法は、
−メモリ手段を備えた手段であるとともに、機能をチェックする手段を与えるステップと、
−前記機能をチェックする手段の前記メモリ手段に前記透析治療パラメータを格納するステップと、
−所定の条件が検出されると、前記機能をチェックする手段の前記メモリ手段に格納された前記透析治療パラメータと、前記主制御手段の前記メモリ手段に格納された前記透析治療パラメータを比較するステップと、
−前記パラメータが相互に一致しない場合は、アラーム信号を発生するステップと、
を含むことを特徴とする。
【０００９】
本発明の理解を容易にするため、以下、制限的なことを意図せずに添付の図面を参照しつつ、単に例を示すことにより好適実施例を説明する。
【００１０】
図１における参照番号１は、本発明に従ってつくられた透析装置を全体として示している。
【００１１】
透析装置１は、「２」で示されるブロックとして模式的に示され、動脈と静脈の経路（ｌｉｎｅ）、透析フィルタ、血液ポンプ、透析用液体ポンプ、限外濾過（ｕｌｔｒａ−ｆｉｌｔｒａｔｉｏｎ）ポンプなど、実際の透析治療の準備に専用化され、透析装置１の各種部分で形成される透析回路と、「４」で示される１つのブロックとして模式的に示され、透析回路２の各種の場所に配置されて透析用液体の濃度、ヘモグロビンの濃度、血液量、限外濾過係数など、透析治療に関する量を測定する複数のセンサとを含む。
【００１２】
透析装置１は、マスタ・マルチスレーブ・タイプ、つまり、「１０」で示され、主（つまり「マスタ」）制御ユニットを含む主制御手段と、「１２」で示される１つのブロックとして模式的に示され、たとえば、流体回路の制御、血液回路（ｂｌｏｏｄ　ｃｉｒｃｕｉｔ）の制御、濾過透析（ｈａｅｍｏｄｉａｆｉｌｔｒａｔｉｏｎ）の制御、限外濾過の制御など、透析回路２の特定部分の動作や透析治療に関連する特定処理の動作の制御に専用化された複数の「スレーブ」制御ユニットを含むスレーブ制御手段とを含むタイプの１つの回路アーキテクチャを有する制御装置６を含む。
【００１３】
透析装置は、ディスプレー・ユニット、処理ユニット１８およびキーボード２０を備え、透析治療の進行状態、透析治療パラメータの設定などに関する情報に対する要求など、透析装置１のユーザーによって実行される行動と患者の透析治療とに関連するすべての処理の制御に専用化されたパーソナル・コンピュータ１４を含む。
【００１４】
主制御ユニット１０には、透析治療自体に関連する手順、データおよびコマンドの分配についての手順、血液回路を監視する手順、透析の治療を受ける患者の健康に対するリスクを表すことができるすべての条件が正しいことをチェックする手順、透析装置を安全な条件にするように意図された行動をとる手順、透析治療のパラメータの変更をチェックする手順などのような、特定の手順を実施するための多重タスク処理オペレーティング・システムが組み込まれている。
【００１５】
主制御ユニット１０は、パーソナル・コンピュータ１４の処理ユニット１８に接続され、ネットワークに接続できる１つまたは複数の透析装置１の動作の監視に専用化された主制御マイクロプロセッサ２２と、主制御マイクロプロセッサ２２に接続され、実質的に分離されているとともに動作的に相互に独立な複数のメモリであって、ソフトエラーとして知られているところのものを防止するために記憶に冗長度が付与されており、透析時間中の限外濾過の振動、透析時間中の透析用液体の濃度の振動など、透析治療パラメータを各メモリが格納する、複数のメモリ２４とを含む。
【００１６】
大部分の透析治療パラメータは少なくとも二重化され、各コピーは他のコピーとは別になっていて（ｓｅｐａｒａｔｅｄ）、実質的にまたは物理的に分離されたメモリ２４の対応する部分に格納される。
【００１７】
主制御ユニット１０は、たとえば、透析治療の進行状態、透析治療のパラメータなどに関する情報や透析装置の機能など、透析治療に関する各種のデータを表示するディスプレー・ユニット２５を含む。
【００１８】
各スレーブ制御ユニット１２は、スレーブ制御マイクロプロセッサ２６と、スレーブ制御マイクロプロセッサ２６に接続されたメモリ２８を含む。特にスレーブ制御マイクロプロセッサ２６は、主制御マイクロプロセッサ２２に双方向で接続され、センサ４で発生した測定値信号をその入力で受信し、透析回路２の対応する部分や処理が専用化されている透析治療に関連した対応する処理の制御を行うために、センサから送られた測定値信号を受信して、メモリ２８が透析治療の各パラメータや、対応するスレーブ制御マイクロプロセッサ２６が制御する透析回路の各種部分の動作に関するパラメータを格納すると同時に、公知のように制御の目的を達成するが、この目的の詳細は公知であるから説明しない。
【００１９】
再び図１を参照すると、主制御ユニット１０の主制御マイクロプロセッサは、各メモリ２４に透析治療パラメータのコピーを格納して、透析治療のパラメータの他のコピーをスレーブ制御手段に送る。より詳細には、前記パラメータの対応する（１つまたは複数の）セットだけが各スレーブ制御マイクロプロセッサ２６に送られる。各スレーブ制御マイクロプロセッサは、実際にパラメータの対応するセットの制御を担当し、自己の対応するパラメータのセットまたは一部を各メモリ２８に格納する。
【００２０】
本発明によれば、透析装置１の制御装置６は、透析治療パラメータの別のコピーを格納するメモリ手段を備え前記主制御手段（１０）と対話する、機能をチェックする手段を含み、手段３０は、以後「機能チェック・ユニット」という用語で指定されるとともに「３０」で示される他のスレーブ・ユニットを含んでいるが、このスレーブ・ユニットは区別可能で、主制御ユニット１０から物理的に分離されており、後でさらに詳細に説明するように、後者と対話して透析装置１の機能と、特に制御装置６の信頼性とを絶えずチェックする。
【００２１】
機能チェック・ユニット３０は、機能チェック用マイクロプロセッサ３２と機能チェック用マイクロプロセッサ３２に接続され、主制御マイクロプロセッサで受信された透析治療のパラメータのコピーを格納するメモリ３４を必然的に含む。詳細に説明すると、機能チェック用マイクロプロセッサ３２は、主制御マイクロプロセッサ２２に双方向で接続される主メモリに格納されたパラメータと、以下説明することに従って、センサ４で発生した測定値信号の双方をその入力で受信する。各パラメータごとに対応するセンサは一般に二重化されているので、各パラメータに対する第１のセンサは、その入力をスレーブ制御マイクロプロセッサ２６に送り、同じパラメータを検出する第２のセンサは、その入力を機能チェック用マイクロプロセッサ３２に送ることに注意すべきである。換言すると、一般に、制御すべきパラメータごとに２つのセンサまたは２つの独立な感知源が設けられる。１つはスレーブ制御マイクロプロセッサ２６と協力し、１つは機能チェック用マイクロプロセッサ３２と協力する。いくつかのパラメータの時間による振動に関する情報は、透析装置に従来から存在する他の手段を介し機能チェック用マイクロプロセッサ３２によって間接的に決定されるので、すべてのセンサが本当に二重化されているとは限らないことに注意されたい。
【００２２】
主制御ユニット１０と各スレーブ制御ユニット１２の間の有効な接続と、主制御ユニット１０と機能チェック・ユニット３０の間の有効な接続が設計されているので、機能チェック・ユニットは、
−　（上述のように）メモリ２４内にある治療パラメータのコピーと、
−　自己のセンサまたは感知源で検出された測定値と、
−　（主制御ユニット１０を介して）各スレーブ制御ユニット１２に付随するセンサまたは感知源によって取得された測定値信号のコピーと、
をその入力で受信して、そのメモリに格納する。
【００２３】
したがって、機能チェック・ユニットは、主ユニットによって設定された治療のパラメータ（つまり、透析治療に必要なパラメータ）と、機能チェック・ユニット自体に直接付随する感知源で感知された実際のパラメータの測定値と、各スレーブ制御ユニット１２に付随する感知源で感知された実際のパラメータの測定値とを、そのメモリ内に持っている。
【００２４】
機能チェック用マイクロプロセッサ３２は２つの機能を実行する。第１の機能は、主制御マイクロプロセッサ２２を介してスレーブ制御マイクロプロセッサ２６から取得された測定信号を得ることと、スレーブ制御マイクロプロセッサ２６の動作の正しいことをチェックするために取得された自己の測定値信号と、スレーブ制御マイクロプロセッサ２６から取得された測定値信号を比較する機能である。
【００２５】
第２の機能は、図２の流れ図を参照して以下に説明する動作を実施することにより、主制御マイクロプロセッサ２２と対話して制御装置６のメモリと透析装置１の動作の正しいことを絶えずチェックする機能である。
【００２６】
図２に示すとともに、既に説明したように、特に主制御マイクロプロセッサ２２は、最初に、パーソナル・コンピュータのキーボード２０を介してオペレータによって入力された透析治療のパラメータのコピーと、主制御マイクロプロセッサ２２のメモリ２４に冗長度を持たせて格納されたパラメータのコピーを機能チェック用マイクロプロセッサ３２のメモリ３４に書き込む（ブロック１００）。
【００２７】
続いて、時間の所定の瞬間、たとえば、ｎ個のクロックパルスが終わるたびに、機能チェック用マイクロプロセッサ３２は、自己のメモリ３４に格納された透析治療パラメータのコピーを主制御マイクロプロセッサ２２に送り、主制御マイクロプロセッサ２２はこれらのパラメータを取得して、自己のメモリ２４の１つにこれらのパラメータを格納する（ブロック１１０）。
【００２８】
次に主制御マイクロプロセッサ２２は、機能チェック用マイクロプロセッサ３２から送られた透析治療パラメータのコピーと、自己の各メモリ２４のそれぞれに格納されているオリジナルの透析治療パラメータを比較する（ブロック１２０）。
【００２９】
機能チェック用マイクロプロセッサ３２から送られた透析治療パラメータと、主制御マイクロプロセッサ２２のメモリ２４のそれぞれに最初から格納されている透析治療パラメータが一致すれば（ブロック１２０からのイエス）、主制御マイクロプロセッサ２２は、透析装置１の正しい動作を検出するので、その機能を正常に実行することを続けてブロック１１０に戻るが、機能チェック用マイクロプロセッサ３２から送られた透析治療パラメータと、主制御マイクロプロセッサ２２のメモリ２４のそれぞれに格納されている透析治療パラメータが一致しなければ（ブロック１２０からのノー）、主制御マイクロプロセッサ２２は故障の存在を検出してアラーム信号を発生し、ディスプレー・ユニット２５にそれを表示して、パーソナル・コンピュータ１４の処理ユニット１８にアラーム信号を送る（ブロック１３０）。
【００３０】
アラーム条件は、この故障を示すテキストまたはアイコンの形でディスプレー・ユニット２５に表示されるので、透析装置１とスレーブ制御ユニットの機能は、特に検証されていない（ブロック１４０）。何故ならば、機能チェック用マイクロプロセッサやそのメモリの信頼性はもはや保証されないからである。換言すると、上記アーキテクチャによれば、主制御ユニットのメモリは、それに格納される情報の信頼性を高めるために二重化され、スレーブ・ユニットの動作は、主ユニットと機能チェック・ユニットとによって絶えず制御され、最終的には、機能チェック・ユニットのメモリが正しく動作することが、主ユニットによって周期的に監視される。
【００３１】
アラーム信号が受信されると、パーソナル・コンピュータ１４の処理ユニット１８は、このアラーム条件をディスプレー・ユニット１６に表示させることができる。
【００３２】
本発明によってつくられた透析装置１の特性を試験すれば、本発明が提供する利点が明確になるであろう。
【００３３】
特にチェック・ユニットを用いて機能をチェックすることにより、透析の治療を受けている患者の健康を損なうおそれのある故障が透析装置で発生する確率を事実上除くことが可能である。このように、透析治療の安全性は顕著に向上する。実際に機能チェック・ユニット３０は、スレーブ制御マイクロプロセッサが本当に正しくパラメータを制御していることを確実にする。その上、機能チェック・ユニット３０と、特にそのメモリに万一故障が発生した場合、その故障条件は、機能チェック・ユニットによるスレーブ制御ユニットの不適切なチェックと誤チェックの危険をまったく伴わずに、主制御ユニットによって周期的に監視されて識別される。
【００３４】
最後に、ここに説明し例示した透析装置は、特許請求の範囲に定義したとおり、本発明の防衛の範囲を逸脱することなく、改造されかつ変更されうることは明らかである。
【図面の簡単な説明】
【図１】
本発明に従ってつくられた透析装置の模式的ブロック図を示す図。
【図２】
透析装置の故障を検出した場合、図１の透析装置によって実行される動作の流れ図を示す図。
【図１】
2004509706.tif 000003
【図２】
2004509706.tif 000004
【国際公開パンフレット】
2004509706.tif 000005
2004509706.tif 000006
2004509706.tif 000007
2004509706.tif 000008
2004509706.tif 000009
2004509706.tif 000010
2004509706.tif 000011
2004509706.tif 000012
2004509706.tif 000013
2004509706.tif 000014
2004509706.tif 000015
2004509706.tif 000016
2004509706.tif 000017
2004509706.tif 000018
2004509706.tif 000019
2004509706.tif 000020
【国際調査報告】
2004509706.tif 000021
2004509706.tif 000022
2004509706.tif 000023